(57)【要約】
【課題】  快適で便利に使用できる中又は低周波のマッサージズボンを提供する。
【解決手段】  複数の導体１が予めパンツ１０の選定された位置に固定で設けられている。それぞれの導体１の一端を１個又は１個以上の導電プレート１１と接続することで、導電プレート１１を人体と緊密に接触させる。各導体１の別の一端を導電バックル１２に伸ばして接続することで、それぞれの導電バックル１２を集中して分布させる。又、それぞれの導電バックル１２の分布配列は一つの電気励起コントローラー２に設けられた導電バックルとマッチングして対応するので、パンツ１０を一つの電気励起コントローラー２とラッチして接続可能である。
【選択図】    図１
0003100744.tif 000002
【実用新案登録請求の範囲】
【請求項１】
複数の導体（１）が予めパンツ（１０）の選定された位置に固定で設けられ、それぞれの導体（１）の一端を１個又は１個以上の導電プレート（１１）と接続することで、導電プレート（１１）を人体と緊密に接触させ、各導体（１）の別の一端を導電バックル（１２）に伸ばして接続することで、それぞれの導電バックル（１２）を集中して分布させ、又、それぞれの導電バックル（１２）の分布配列は一つの電気励起コントローラー（２）に設けられた導電バックル（２１）とマッチングして対応するので、パンツ（１０）を一つの電気励起コントローラー（２）とラッチして接続可能であることを特徴とする中又は低周波のマッサージズボン。
【請求項２】
導電プレート（１１）は、それぞれ電気励起コントローラーの正又は負極の接点と接続することを特徴とする請求項１に記載の中又は低周波のマッサージパンツ。
【請求項３】
導体（１）は、ゴムひも（１０１）の位置に隠して設けられることを特徴とする請求項１に記載の中又は低周波のマッサージパンツ。
【請求項４】
電気励起コントローラー（２）の中に、一つの中心ＩＣが設けられ、ＩＣを利用してパルスの波形を伝送することで、インダクタンス及びコンデンサに充放電して高圧を生じさせ、又、プログラムによるパルスの幅を制御することで、強さの異なるマッサージの感覚を生じる中又は低周波の電気励起マッサージであることを特徴とする請求項１に記載の中又は低周波のマッサージズボン。
【請求項５】
電気励起コントローラー（２）のパルス幅は、１ＨＺ〜１５０ＨＺの間に設定することを特徴とする請求項４に記載の中又は低周波の電気励起マッサージパンツ。
【請求項６】
電気励起コントローラー（２）は、一つのパルス高圧を提供して、それがそれぞれ複数の導電バックル（２１）に伸びて接続することで、一つの出力端が構成されることを特徴とする請求項１に記載の中又は低周波のマッサージパンツ。
【請求項７】
電気励起コントローラー（２）のある側に、一つの通電区域を選んで制御可能である区分スイッチ（１４）が設けられることを特徴とする請求項１に記載の中又は低周波のマッサージパンツ。
【請求項８】
各導体（１）は、相互が接触しないことを特徴とする請求項１に記載の中又は低周波のマッサージパンツ。
【請求項９】
各導体（１）は、一つの絶縁材（１３）を利用して隔離させ、導電材（１）の伸び端（１４）を外部に露出させて、導電プレート（１１）とミシンで縫って結び付けることを特徴とする請求項１に記載の中又は低周波のマッサージパンツ。
【請求項１０】
導体（１）の伸び端（１４）に、１個又は１個以上の導電バックル（１４１）が設けてあり、導電プレート（１１）の相対する面に同様に１個又は１個以上の相対する導電バックル（１１１）が設けてあることを特徴とする請求項１に記載の中又は低周波のマッサージパンツ。
【請求項１１】
導体（１）の伸び端（１４）に、一つのマッジクテープ（１４２）が固定で設けられ、導電プレート（１１）の相対する面に同様にマッジクテープ（１１２）が設けられていることを特徴とする請求項１に記載の中又は低周波のマッサージパンツ。
【請求項１２】
導体（１）は、ミシンでパンツ（１０）の内面に固定で縫ったものであることを特徴とする請求項１に記載の中又は低周波のマッサージパンツ。
【請求項１３】
導体（１）及び導電プレート（１１）は、コルセットパンツ又はパンツのその他人体と接触する位置に伸びて設けられることを特徴とする請求項１に記載の中又は低周波のマッサージパンツ。
【請求項１４】
パンツ（１０）に集中で分布された各導電バックル（１２）に、その他１セットの接続ライン（１５）を伸びて接続することで、接続ライン（１５）の一端に同時に１セットの電気励起コントローラー（２）と合わせて、集中分布を呈する導電バックル（１６）を増設可能であることを特徴とする請求項１に記載の中又は低周波のマッサージパンツ。
【請求項１５】
導体（１）及び導電プレート（１１）は、並列又は直列で人体の各部位に伸びて分布し、且つ、それぞれ伸びて分布された位置に導電プレート又は予め設けられた導電バックル（１４１）を接続することを特徴とする請求項１に記載の中又は低周波のマッサージパンツ。
【請求項１６】
パンツ（１０）は、体と緊密に接触するコルセットパンツであり、更に、一側又は両側をゴムひも（１９）と結び付けることを特徴とする請求項１に記載の中又は低周波のマッサージパンツ。
【請求項１７】
パンツ（１０）に設けられた導電バックル（１４１）は、１枚又は１枚の交差で重ねる布（１８）で覆って隠すことを特徴とする請求項１に記載の中又は低周波のマッサージパンツ。
【請求項１８】
導体は、導電布を採用することを特徴とする請求項１に記載の中又は低周波のマッサージパンツ。
【考案の詳細な説明】
【技術分野】
【０００１】
本考案は、中又は低周波のマッサージパンツの設計に関するものである。主には、一つの電気励起コントローラーをパンツと合わせて結び付けることで、マッサージと脂肪減少などの多重な効果を達成できるのである。
【背景技術】
【０００２】
従来の中又は低周波の健康増進補助器（按摩器又は治療器とも言う）は、コントローラー、シリカゲル電極プレート、シリカゲル軟膏（普通導電ゲルを言う）又はシリカゲル電極カップなどのパーツで構成されているので、コストが高くて、使用するタイミングおよび場所はすべて特定に制限されるし、導電の効果がよくない。更に、体の使用部位にシリカゲル軟膏を塗ることが必要なので、使用する場合、凄く快適ではない感じが出るし、洗う時、ものすごく洗いにくい。その他、シリカゲル電極プレート又はシリカゲルカップはすべて硬くて厚いものであるので、それをつける場合、大変重くて快適ではない感じが出るし、体に密着して隠すことが出来ないため、使用空間を占めるし、いつでも使用することができないのである。
【考案の開示】
【考案が解決しようとする課題】
【０００３】
本考案の目的は、中又は低周波のマッサージパンツを提供することにある。
【課題を解決するための手段】
【０００４】
中又は低周波のマッサージズボンの設計に関するものである。主には、複数の導体が予めパンツの選定された位置に固定で設けられ、それぞれの導体の一端を１個又は１個以上の導電プレートと接続することで、導電プレート１を人体と緊密に接触させ、各導体の別の一端を導電バックルに伸びて接続させて、それぞれの導電バックルの分布配列は電気励起コントローラーに設けられた導電バックルとマッチングして対応するので、パンツに一つの電気励起コントローラーと結び付けることで、電気励起コントローラーの制御により中又は低周波の電気励起でマッサージする。
【考案を実施するための最良の形態】
【０００５】
図１及び図２の通り、本考案の一実施例は「中又は低周波のマッサージパンツ」の設計に関するものである。その一実施例は、主に、複数の導体１が予めパンツ１０の選定された位置に固定で設けられ、導体１をゴムひも１０１の位置又はその他の選定されたところに設け、導体１の一端に１個又は１個以上の導電プレート１１を伸びて接続することで、人体と緊密に接触させる。且つ、各導電バックル１２が集中で分布され、集中で配列された導電バックル１２は電気励起コントローラー２での相対する導電バックル２３とマッチングして対応するので、マッサージパンツは一つの電気励起コントローラー２（図２の通り）と結び付けられる。そのため、使用者がパンツ１０を穿いた後、皮膚が導電プレート１１と接触し、導電プレート１１をそれぞれ電気コントローラー２の正又は負極の接点と接続して、電気励起コントローラー２を起動して、中又は低周波により、人体をマッサージして、健康を増進する機能を達成できるのである。
【０００６】
電気励起コントローラー２があり、図３〜図７の通り、主に、内部に一つの中心ＩＣが設けられ、ＩＣを利用してパルスの波形を伝送することで、インダクタンス及びコンデンサに充放電して高圧を生じさせる。又、プログラムによるパルス幅（約１ＨＺ〜１５０ＨＺ）を制御することで、強さの異なるマッサージの感覚を生じさせる。又、電気励起コントローラー２は複数のコントロールキー２１を備え、それぞれ電流のアップ（ＵＰ）又はダウン（ＤＯＷＮ）の制御、時間設定の制御、電源のオン／オフ（ＯＮ／ＯＦＦ）又はマッサージモードを選ぶ。電気励起コントローラー２が一つの液晶表示器２２を備えることで、制御モードを表示する。又、内部の電気回路（図５又は図６の通り）により、一つのパルス高圧を提供して、それをそれぞれ複数の導電バックル２３に伸びて接続することで、一つの出力端が構成される。又、電気励起コントローラー２の一つ側に通電区域を選んで制御できる区分スイッチ１４が設けられるのである。
【０００７】
図８の通り、導体１はパンツ１０のゴムひも１０１に隠して設けられ、一端が導電プレート１１と通して接続する。又、別の一端は導電バックル１２に伸びて接続し、それは、バックルのセミアセンブリー１２ａおよびセミアセンブリー１２ｂを利用して、パンツのゴムひも１０１に貫通するので、一つの完全に露出する導電バックル１２が形成されるが、各導電バックル１２は一つの場所に集中して設けられ、それを電気励起コントローラー２の相対する導電バックル２３とマッチングしてラッチする（図２又は図５の通り）ことが形成されるのである。
【０００８】
上述の各導体１の別の一端はそれぞれ１個又は１個以上の導電プレート１１と接続し、各導電材１の相互が接触しないように、又は、一つの絶縁材１３を利用して隔離させ（図９の通り）、導電材１の伸び端１４を外部に露出させて、導電プレート１１とミシンで縫って結び付けるのである。
【０００９】
図１０の実施例の通り、上述のような導体１の伸び端１４を導電プレート１１と結びつける方式について、伸び端１４に１個又は１個以上の導電バックル１４１が設けられる。導電プレート１１の相対する面に、同様に１個又は１個以上の相対する導電バックル１１１が設けてあるので、導電プレート１１が簡単に導体の伸び端１４の導電バックル１４１にラッチすることで、導電プレート１１の取り付け又は取り外しが簡単になるのである。
【００１０】
図１１の実施例の通り、導体１の伸び端１４に一つのマッジクテープ１４２を固定で設け、導電プレート１１の相対する面に同様にマッジクテープ１１２を設けることで、導電プレート１１は快速に伸び端１４のマッジクテープ１４２に貼って結び付けられるのである。
【００１１】
図１２および図１３の通り、導体１の伸び端１４は固定でマッジクテープ１４２に設けられる。導電プレート１１の相対する面に同様に相対するマッジクテープ１１２を設けることで、導電プレート１１を快速に伸び端１４のマッジクテープ１４２に貼ることが出来るのである。
【００１２】
この考案の実施について、パンツ１０の種類形態を制限する必要がないので、男女のパンツ、ズボン又はコルセットパンツなどを使っても良いのである。図１４の実施例で示すのは、コルセットパンツに応用するもので、図１５の実施例で示すのは、一般のパンツに応用するものである。特に、コルセットパンツ又は体と緊密に接触するパンツに使用する場合、その他の人体に貼る位置に、その他の導電プレート１１が伸びて設けられる。
【００１３】
上述のパンツ１０を電気励起コントローラー２とラッチする構成は、電気励起コントローラー２がパンツ１０の上に集中して設けられた導電バックル１２の選定された位置に設けられる以外、図１６の実施例の通り、更に、パンツ１０の各導電バックル１２にそれぞれ１セットの接続ライン１５を伸びて接続することで、接続ライン１５の一端に同時に１セットの電気励起コントローラー２と合わせて、集中分布を呈する導電バックル１６を増設できるので、接続ライン１５をポケット１７から外部へ貫通することで、電気励起コントローラー２のラッチ接続を提供できるので、電気励起コントローラー２をポケット１７の中に置くことが出来る。
【００１４】
上述のパンツ１０をコルセットパンツ及び人体と緊密に接触するパンツに応用する場合、それは人体と接触する密接性がより良いので、導体１及び導電プレート１１はパンツ１０のゴムひも１０１の位置に設けられる以外、図１７〜図２０などの各種実施例を参照して、人体と緊密に接触するパンツ１０のその他選定された部位に導体１を並列又は直列で人体のそれぞれのつぼ部位又は太った部位に伸びて分布するか、それぞれ伸びて分布される位置に導電プレート１１を接続し、又は、予め導電バックル１４１を設けることで、特定の部位又はつぼに対して、導電プレート１１を導体１の導電バックル１４１にラッチして結び付ける。そのため、中又は低周波の電気励起により、人体をマッサージして、健康の増進又はリハビリーなどの機能を達成したり、血行がよくなったり、脂肪を砕いてダイエットする目的を提供できる。特に、中又は低周波の電気励起により人体の生理部位をマッサージすると、生理機能の反応を刺激して、素晴らしい性欲の刺激効果がある。
【００１５】
図２０の実施例の通り、体と緊密に接触するパンツ１０の一側又は両側にゴムひも１９が結び付けられるので、使用者の異なる体型により、ゴムひも１９を使って自動的に伸縮して調整することで、穿く時の快適性を向上できるのである。
【００１６】
図２１の通り、上述のパンツ１０に設けられた導電バックル１４１は普段２枚の交差で重ねる布１８で遮り、導電バックル１４１を遮る布１８の中に隠せるので、外部と接触しない状態を維持できるが、使用する場合、遮る布１８を開くと、直ちに導電バックル１４１の導電プレート１１とラッチして結び付けられる。また、遮る布１８を１枚で設置して、導電バックル１４１を１枚の遮る布１８の中に隠して、使用する場合、遮る布１８を適切に開くだけで良いのであり、又は、上述の遮る布１８の中に隠された導電バックル１４１を、図１１の実施例の通り、２対の対応するマジックテープの設計を使って、前述の導電バックル１４１と代わることで、導電プレート１１を導体１の伸び端１４と快速貼ることができるのである。
本実施例に採用される導体１は、一般の導電ワイヤを使っても良いのであるが、もっと柔らかく快適性が良い導電布を使うのがもっと良いのである。
【００１７】
この考案の主な目的は、中又は低周波のマッサージパンツの設計を提供するものである。それはパンツの上に複数の導電布のような導体を設け、導体の両端にそれぞれ導電プレート及び導電バックルを設けることで、導電プレートを人体に貼ることができる。又、導電バックルを電気励起コントローラーとマッチングして取り付けられるので、使用する場合、電気励起コントロールを上述の導体が伸びて接続する導電バックルの部位にラッチして接続すると、コントローラーの制御モードにより、ズボンが健康の増進又はリハビリーなどの機能を達成したり、血行がよくなったり、脂肪を砕いてダイエットする目的に良い効果を提供できるのである。
【図面の簡単な説明】
【００１８】
【図１】本考案の一実施例による中又は低周波のマッサージパンツを示す模式図である。
【図２】本考案の一実施例による中又は低周波のマッサージパンツのコントローラーと結び付けた後の状態を示す模式図である。
【図３】本考案の一実施例による中又は低周波のマッサージパンツのコントローラーを示す斜視図である。
【図４】本考案の一実施例による中又は低周波のマッサージパンツのコントローラーの背面を示す斜視図である。
【図５】本考案の一実施例による中又は低周波のマッサージパンツのコントローラーをパンツとラッチする状態を示す断面図である。
【図６】本考案の一実施例による中又は低周波のマッサージパンツのコントローラーの配線配置図である。
【図７】本考案の一実施例による中又は低周波のマッサージパンツのコントローラーの電気回路図である。
【図８】本考案の一実施例による中又は低周波のマッサージパンツの導体を導電バックルに接続する状態を示す模式図である。
【図９】本考案の一実施例による中又は低周波のマッサージパンツの導体の伸び端を導電プレートとミシンで縫う前の状態を示す模式図である。
【図１０】本考案の一実施例による中又は低周波のマッサージパンツの導体の伸び端を導電プレートとラッチする状態を示す模式図である。
【図１１】本考案の一実施例による中又は低周波のマッサージパンツの導体の伸び端と導電プレートの接着状態を示す模式図である。
【図１２】本考案の一実施例による中又は低周波のマッサージパンツの導体をパンツのゴムひもにミシンで縫う状態を示す模式図である。
【図１３】本考案の一実施例による中又は低周波のマッサージパンツの導体をパンツのゴムひもにミシンで縫った状態を示す模式図である。
【図１４】本考案の一実施例による中又は低周波のマッサージパンツをコルセットパンツに実施する状態を示す模式図である。
【図１５】本考案の一実施例による中又は低周波のマッサージパンツを体と緊密に接着するパンツに実施する状態を示す模式図である。
【図１６】本考案の一実施例による中又は低周波のマッサージパンツが接続ラインを利用して、別の１セットの導電バックルを連動する状態を示す模式図である。
【図１７】本考案の一実施例による中又は低周波のマッサージパンツの複数の導体および導電プレートを伸ばして人体の各部位に設ける状態を示す模式図である。
【図１８】本考案の一実施例による中又は低周波のマッサージパンツの複数の導体および導電プレートを伸ばして人体の各部位に設ける状態を示す模式図である。
【図１９】本考案の一実施例による中又は低周波のマッサージパンツの複数の導体および導電プレートを伸ばして人体の各部位に設ける状態を示す模式図である。
【図２０】本考案の一実施例による中又は低周波のマッサージパンツの複数の導体および導電プレートを伸ばして人体の各部位に設ける状態を示す模式図である。
【図２１】本考案の一実施例による中又は低周波のマッサージパンツを交差で重ねる布を使って導電バックルを遮る状態を示す模式図である。
【符号の説明】
【００１９】
１  導体、２  電気励起コントローラー、１０  パンツ、１１  導電プレート、１２  導電バックル、１２ａ  バックルのセミアセンブリー、１２ｂ  バックルのセミアセンブリー、１３  絶縁材、１４  伸び端、１５  接続ライン、１６  導電バックル、１７  ポケット、１８  遮る布、１９  ゴムひも、２１  制御キー、２２  液晶表示ボード、２３  導電バックル、２４  スイッチ、１０１  ゴムひも、１１１  導電バックル、１１２  マッジクテープ、１４１  導電バックル、１４２  マッジクテープ
【図１】
0003100744.tif 000003
【図２】
0003100744.tif 000004
【図３】
0003100744.tif 000005
【図４】
0003100744.tif 000006
【図５】
0003100744.tif 000007
【図６】
0003100744.tif 000008
【図７】
0003100744.tif 000009
【図８】
0003100744.tif 000010
【図９】
0003100744.tif 000011
【図１０】
0003100744.tif 000012
【図１１】
0003100744.tif 000013
【図１２】
0003100744.tif 000014
【図１３】
0003100744.tif 000015
【図１４】
0003100744.tif 000016
【図１５】
0003100744.tif 000017
【図１６】
0003100744.tif 000018
【図１７】
0003100744.tif 000019
【図１８】
0003100744.tif 000020
【図１９】
0003100744.tif 000021
【図２０】
0003100744.tif 000022
【図２１】
0003100744.tif 000023